【手続補正書】
【提出日】平成15年12月18日(2003.12.18)
【手続補正１】
【補正対象書類名】明細書
【補正対象項目名】特許請求の範囲
【補正方法】変更
【補正の内容】
【特許請求の範囲】
【請求項１】
ネットワークを介して外部装置に接続されて使用される複合画像形成装置であって、記憶媒体上に画像を形成する複写手段と、前記外部装置において作成された処理要求情報を受信する受信手段と、前記受信手段により受信された処理要求情報を記憶する記憶手段と、前記記憶手段により記憶された処理要求情報が当該複合画像形成装置により処理可能であるか否かを判別するための判別手段と、前記複合画像形成装置の状態により前記記憶手段により記憶された前記処理要求情報が処理可能になった時点で前記処理要求情報を送信した前記外部装置に対して処理可能となった旨を通知する通知手段と、前記記憶手段に記憶された前記処理要求情報を一覧表示する表示手段と、前記一覧表示された処理要求情報の中から少なくとも一つの処理要求情報を選択する選択手段と、前記選択手段により選択された処理要求情報に応じた処理を行う処理手段とを備えることを特徴とする複合画像形成装置。
【請求項２】
前記複合画像形成装置が装備している構成を示す構成情報及び前記複合画像形成装置の状態を示すステータス情報を送信する送信手段を有することを特徴とする請求項１に記載の複合画像形成装置。
【請求項３】
前記判別手段は、前記受信された処理要求情報と前記構成情報及び前記ステータス情報とを比較することにより前記受信された処理要求情報が当該画像形成装置により処理可能であるか否かを判別するように構成されることを特徴とする請求項１又は２に記載の複合画像形成装置。
【請求項４】
前記判別手段により前記処理要求情報が前記複合画像形成装置により処理不可能であると判別された場合にその旨を前記処理要求情報を送信した外部装置に対して通知する第２の通知手段を有し、前記第２の通知手段は、前記記憶手段に処理要求情報を記憶した順番で、当該処理要求を送信した外部装置に対して前記処理不可能である旨を通知することを特徴とする請求項１〜３のいずれか１項に記載の複合画像形成装置。
【請求項５】
前記外部装置から前記複合画像形成装置で処理されるべき画像データを取り込む画像データ取込手段を有し、前記画像データ取込手段は、前記外部装置としてコンピュータ、ファクシミリ装置等の装置から送信されたデータを受信可能であることを特徴とする請求項１〜４のいずれか１項に記載の複合画像形成装置。
【請求項６】
ネットワークを介して外部装置に接続されて使用される複合画像形成装置の制御方法であって、記憶媒体上に画像を形成し、前記外部装置において作成された処理要求情報を受信し、前記受信された処理要求情報を記憶し、前記記憶された処理要求情報が当該複合画像形成装置により処理可能であるか否かを判別し、前記複合画像形成装置の状態により前記記憶された前記処理要求情報が処理可能になった時点で前記処理要求情報を送信した前記外部装置に対して処理可能となった旨を通知し、前記記憶された処理要求情報を一覧表示し、前記一覧表示された処理要求情報の中から少なくとも一つの処理要求情報を選択し、前記選択された処理要求情報に応じた処理を行うことを特徴とする制御方法。
【請求項７】
前記複合画像形成装置が装備している構成を示す構成情報及び前記複合画像形成装置の状態を示すステータス情報を送信することを特徴とする請求項６に記載の制御方法。
【請求項８】
前記判別は、前記受信された処理要求情報と前記構成情報及び前記ステータス情報とを比較することにより前記受信された処理要求情報が当該画像形成装置により処理可能であるか否かを判別することを特徴とする請求項６又は７に記載の制御方法。
【請求項９】
前記判別により前記処理要求情報が前記複合画像形成装置により処理不可能であると判別された場合にその旨を前記処理要求情報を送信した外部装置に対して通知し、前記通知は、前記記憶手段に処理要求情報を記憶した順番で、当該処理要求を送信した外部装置に対して前記処理不可能である旨を通知することを特徴とする請求項６〜８のいずれか１項に記載の制御方法。
【請求項１０】
前記外部装置から前記複合画像形成装置で処理されるべき画像データを取り込み、前記画像データ取り込みにおいて、前記外部装置としてコンピュータ、ファクシミリ装置等の装置から送信されたデータを受信可能であることを特徴とする請求項６〜９のいずれか１項に記載の制御方法。
【手続補正２】
【補正対象書類名】明細書
【補正対象項目名】０００７
【補正方法】変更
【補正の内容】
【０００７】
【課題を解決するための手段】
上記目的を達成するために、請求項１の複合画像形成装置は、ネットワークを介して外部装置に接続されて使用される複合画像形成装置であって、記憶媒体上に画像を形成する複写手段と、前記外部装置において作成された処理要求情報を受信する受信手段と、前記受信手段により受信された処理要求情報を記憶する記憶手段と、前記記憶手段により記憶された処理要求情報が当該複合画像形成装置により処理可能であるか否かを判別するための判別手段と、前記複合画像形成装置の状態により前記記憶手段により記憶された前記処理要求情報が処理可能になった時点で前記処理要求情報を送信した前記外部装置に対して処理可能となった旨を通知する通知手段と、前記記憶手段に記憶された前記処理要求情報を一覧表示する表示手段と、前記一覧表示された処理要求情報の中から少なくとも一つの処理要求情報を選択する選択手段と、前記選択手段により選択された処理要求情報に応じた処理を行う処理手段とを備えることを特徴とする。


【手続補正３】
【補正対象書類名】明細書
【補正対象項目名】０００８
【補正方法】変更
【補正の内容】
【０００８】
請求項２の複合画像形成装置は、上記請求項１の複合画像形成装置において、前記複合画像形成装置が装備している構成を示す構成情報及び前記複合画像形成装置の状態を示すステータス情報を送信する送信手段を有することを特徴とする。


【手続補正４】
【補正対象書類名】明細書
【補正対象項目名】０００９
【補正方法】変更
【補正の内容】
【０００９】
請求項３の複合画像形成装置は、上記請求項１又は２の複合画像形成装置において、前記判別手段は、前記受信された処理要求情報と前記構成情報及び前記ステータス情報とを比較することにより前記受信された処理要求情報が当該画像形成装置により処理可能であるか否かを判別するように構成されることを特徴とする。


【手続補正５】
【補正対象書類名】明細書
【補正対象項目名】００１０
【補正方法】変更
【補正の内容】
【００１０】
請求項４の複合画像形成装置は、上記請求項１〜３のいずれか１項の複合画像形成装置において、前記判別手段により前記処理要求情報が前記複合画像形成装置により処理不可能であると判別された場合にその旨を前記処理要求情報を送信した外部装置に対して通知する第２の通知手段を有し、前記第２の通知手段は、前記記憶手段に処理要求情報を記憶した順番で、当該処理要求を送信した外部装置に対して前記処理不可能である旨を通知することを特徴とする。


【手続補正６】
【補正対象書類名】明細書
【補正対象項目名】００１１
【補正方法】変更
【補正の内容】
【００１１】
請求項５の複合画像形成装置は、上記請求項１〜４のいずれか１項の複合画像形成装置において、前記外部装置から前記複合画像形成装置で処理されるべき画像データを取り込む画像データ取込手段を有し、前記画像データ取込手段は、前記外部装置としてコンピュータ、ファクシミリ装置等の装置から送信されたデータを受信可能であることを特徴とする。


【手続補正７】
【補正対象書類名】明細書
【補正対象項目名】００１２
【補正方法】変更
【補正の内容】
【００１２】
上記目的を達成するために、請求項６の複合画像形成装置の制御方法は、ネットワークを介して外部装置に接続されて使用される複合画像形成装置の制御方法であって、記憶媒体上に画像を形成し、前記外部装置において作成された処理要求情報を受信し、前記受信された処理要求情報を記憶し、前記記憶された処理要求情報が当該複合画像形成装置により処理可能であるか否かを判別し、前記複合画像形成装置の状態により前記記憶された前記処理要求情報が処理可能になった時点で前記処理要求情報を送信した前記外部装置に対して処理可能となった旨を通知し、前記記憶された処理要求情報を一覧表示し、前記一覧表示された処理要求情報の中から少なくとも一つの処理要求情報を選択し、前記選択された処理要求情報に応じた処理を行うことを特徴とする。


【手続補正８】
【補正対象書類名】明細書
【補正対象項目名】００１３
【補正方法】変更
【補正の内容】
【００１３】
請求項７の複合画像形成装置の制御方法は、上記請求項６の複合画像形成装置の制御方法において、前記複合画像形成装置が装備している構成を示す構成情報及び前記複合画像形成装置の状態を示すステータス情報を送信することを特徴とする。


【手続補正９】
【補正対象書類名】明細書
【補正対象項目名】００１４
【補正方法】変更
【補正の内容】
【００１４】
請求項８の複合画像形成装置の制御方法は、上記請求項６又は７の複合画像形成装置の制御方法において、前記判別は、前記受信された処理要求情報と前記構成情報及び前記ステータス情報とを比較することにより前記受信された処理要求情報が当該画像形成装置により処理可能であるか否かを判別するように構成されることを特徴とする。
請求項９の複合画像形成装置の制御方法は、上記請求項６〜８のいずれか１項の複合画像形成装置の制御方法において、前記判別により前記処理要求情報が前記複合画像形成装置により処理不可能であると判別された場合にその旨を前記処理要求情報を送信した外部装置に対して通知し、前記通知は、前記記憶手段に処理要求情報を記憶した順番で、当該処理要求を送信した外部装置に対して前記処理不可能である旨を通知することを特徴とする。
請求項１０の複合画像形成装置の制御方法は、上記請求項６〜９のいずれか１項の複合画像形成装置の制御方法において、前記外部装置から前記複合画像形成装置で処理されるべき画像データを取り込み、前記画像データ取り込みにおいて、前記外部装置としてコンピュータ、ファクシミリ装置等の装置から送信されたデータを受信可能であることを特徴とする。
【手続補正１０】
【補正対象書類名】明細書
【補正対象項目名】００９４
【補正方法】変更
【補正の内容】
【００９４】
【発明の効果】
以上説明したように、請求項１の複合画像形成装置又は請求項６の複合画像形成装置の制御方法によれば、外部装置において作成された処理要求情報を受信し、該受信された処理要求情報を記憶し、複合画像形成装置の状態により該記憶された処理要求情報が処理可能になった時点で処理要求情報を送信した外部装置に対して処理可能となった旨を通知し、該記憶された処理要求情報を一覧表示し、一覧表示された処理要求情報の中から少なくとも一つの処理要求情報を選択し、該選択された処理要求情報に応じた処理を行うので、複数の操作者がいる場合であっても、複数の複合画像形成装置を端末側でより効率よく使用することができるという効果が得られる。